(57)【要約】  本出願の実施形態が、データ送信方法、データ受信方法、及びデバイスを提供する。データ送信方法において、受信側デバイスがＤＲＸパラメータに基づいて低周波数でＤＲＸオペレーションを実施し、ＤＲＸパラメータにより示される時間内に、送信側デバイスにより送信される第１の指示情報を受信する。第１の指示情報は、高周波数でデータを受信する準備を行うよう受信側デバイスに命令するのに用いられる。このプロセスにおいて、受信側デバイスは低周波数のみでＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
2020502889.tif 000002
【特許請求の範囲】
【請求項１】
データ受信方法であって、
受信側デバイスが間欠受信ＤＲＸパラメータに基づいて第１の周波数でＤＲＸオペレーションを実施する段階と、
前記受信側デバイスが、前記ＤＲＸパラメータにより示される時間内に、送信側デバイスにより前記第１の周波数を用いて送信される第１の指示情報を受信する段階であって、前記第１の指示情報は第２の周波数でデータを受信するよう前記受信側デバイスに命令する、段階と
を備える方法。
【請求項２】
前記受信側デバイスが、前記ＤＲＸパラメータにより示される時間内に、送信側デバイスにより前記第１の周波数を用いて送信される第１の指示情報を受信する前記段階の後に、前記方法はさらに、
前記受信側デバイスがビームトラッキングを開始して最適なビームを決定する段階と、
前記受信側デバイスが第２の指示情報を前記送信側デバイスに送信する段階であって、前記第２の指示情報は前記最適なビームを示す、段階と、
前記受信側デバイスが前記最適なビームを用いて前記第２の周波数で、前記送信側デバイスにより前記第２の周波数で送信されるデータを受信する段階と
を備える、請求項１に記載の方法。
【請求項３】
受信側デバイスが間欠受信ＤＲＸパラメータに基づいて第１の周波数でＤＲＸオペレーションを実施する前記段階の前に、前記方法はさらに、
前記送信側デバイスにより送信される前記ＤＲＸパラメータを前記受信側デバイスが前記第１の周波数で受信する段階を備え、前記送信側デバイスは、前記第１の周波数及び前記第２の周波数をサポートする送信側デバイスである、請求項１又は２に記載の方法。
【請求項４】
受信側デバイスが間欠受信ＤＲＸパラメータに基づいて第１の周波数でＤＲＸオペレーションを実施する前記段階の前に、前記方法はさらに、
前記第１の周波数をサポートし且つ前記第２の周波数をサポートしない送信側デバイスにより送信される前記ＤＲＸパラメータを前記受信側デバイスが受信する段階を備える、請求項１又は２に記載の方法。
【請求項５】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項１から４のいずれか一項に記載の方法。
【請求項６】
データ送信方法であって、
送信側デバイスが第１の指示情報を生成する段階と、
間欠受信ＤＲＸパラメータにより示される時間内に前記受信側デバイスが前記第１の指示情報を受信するように、前記送信側デバイスが前記第１の指示情報を第１の周波数で前記受信側デバイスに送信する段階であって、前記第１の指示情報は第２の周波数でデータを受信するよう前記受信側デバイスに命令する、段階と
を備える方法。
【請求項７】
前記送信側デバイスが前記第１の指示情報を前記第１の周波数で前記受信側デバイスに送信する前記段階の後に、前記方法はさらに、
前記送信側デバイスが前記受信側デバイスにより送信される第２の指示情報を受信する段階であって、前記第２の指示情報は最適なビームを示し、前記最適なビームは、前記第１の指示情報を受信した後にビームトラッキングを開始することによって前記受信側デバイスにより決定される、段階と、
前記受信側デバイスが前記最適なビームを用いて前記第２の周波数で前記データを受信するように、前記送信側デバイスが前記受信側デバイスにデータを前記第２の周波数で送信する段階と
を備える、請求項６に記載の方法。
【請求項８】
前記送信側デバイスが前記第１の指示情報を前記第１の周波数で前記受信側デバイスに送信する前記段階の前に、前記方法はさらに、
前記送信側デバイスが前記ＤＲＸパラメータを前記受信側デバイスに送信する段階を備え、前記送信側デバイスは、前記第１の周波数及び前記第２の周波数をサポートする送信側デバイスである、請求項６又は７に記載の方法。
【請求項９】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項６から８のいずれか一項に記載の方法。
【請求項１０】
受信側デバイスであって、 
間欠受信ＤＲＸパラメータに基づいて第１の周波数でＤＲＸオペレーションを実施するように構成された処理モジュールと、
前記ＤＲＸパラメータにより示される時間内に、前記第１の周波数を用いて送信側デバイスにより送信される第１の指示情報を受信するように構成された送受信機モジュールであって、前記第１の指示情報は第２の周波数でデータを受信するよう前記受信側デバイスに命令する、送受信機モジュールと
を備える受信側デバイス。
【請求項１１】
前記第１の周波数を用いて前記送信側デバイスにより送信される前記第１の指示情報が、前記ＤＲＸパラメータにより示される前記時間内に受信された後に、前記処理モジュールはさらに、ビームトラッキングを開始して最適なビームを決定するように構成され、
前記送受信機モジュールはさらに、前記最適なビームを示す第２の指示情報を前記送信側デバイスに送信し、前記送信側デバイスにより前記第２の周波数で送信されるデータを前記最適なビームを用いて前記第２の周波数で受信するように構成される、請求項１０に記載の受信側デバイス。
【請求項１２】
前記処理モジュールが前記間欠受信ＤＲＸパラメータに基づいて前記第１の周波数で前記ＤＲＸオペレーションを実施する前に、前記送受信機モジュールはさらに、前記送信側デバイスにより送信される前記ＤＲＸパラメータを前記第１の周波数で受信するように構成され、前記送信側デバイスは、前記第１の周波数及び前記第２の周波数をサポートする送信側デバイスである、請求項１０又は１１に記載の受信側デバイス。
【請求項１３】
前記処理モジュールが前記間欠受信ＤＲＸパラメータに基づいて前記第１の周波数で前記ＤＲＸオペレーションを実施する前に、前記送受信機モジュールはさらに、前記第１の周波数をサポートし且つ前記第２の周波数をサポートしない送信側デバイスにより送信される前記ＤＲＸパラメータを受信するように構成される、請求項１０又は１１に記載の受信側デバイス。
【請求項１４】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項１０から１３のいずれか一項に記載の受信側デバイス。
【請求項１５】
第１の指示情報を生成するように構成された処理モジュールと、
前記受信側デバイスが間欠受信ＤＲＸパラメータにより示される時間内に前記第１の指示情報を受信するように、前記第１の指示情報を第１の周波数で前記受信側デバイスに送信するよう構成された送受信機モジュールであって、前記第１の指示情報は第２の周波数でデータを受信するよう前記受信側デバイスに命令する、送受信機モジュールと
を備える送信側デバイス。
【請求項１６】
前記第１の指示情報を前記第１の周波数で前記受信側デバイスに送信した後に、前記送受信機モジュールはさらに、
前記受信側デバイスにより送信される第２の指示情報を受信することであって、前記第２の指示情報は最適なビームを示し、前記最適なビームは、前記第１の指示情報を受信した後にビームトラッキングを開始することによって前記受信側デバイスにより決定される、受信することと、
前記受信側デバイスが前記最適なビームを用いて前記第２の周波数で前記データを受信するように、前記第２の周波数でデータを前記受信側デバイスに送信することと
を行うように構成される、請求項１５に記載の送信側デバイス。
【請求項１７】
前記第１の指示情報を前記第１の周波数で前記受信側デバイスに送信する前に、前記送受信機モジュールはさらに、前記ＤＲＸパラメータを前記受信側デバイスに送信するように構成され、前記送信側デバイスは、前記第１の周波数及び前記第２の周波数をサポートする送信側デバイスである、請求項１５又は１６に記載の送信側デバイス。
【請求項１８】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項１５から１７のいずれか一項に記載の送信側デバイス。
【発明の詳細な説明】
【技術分野】
【０００１】
本出願は、２０１６年１２月２０日に中国国家知識産権局に出願された「データ送信方法、データ受信方法、及びデバイス（ＤＡＴＡ  ＳＥＮＤＩＮＧ  ＭＥＴＨＯＤ，  ＤＡＴＡ  ＲＥＣＥＩＶＩＮＧ  ＭＥＴＨＯＤ，  ＡＮＤ  ＤＥＶＩＣＥ）」と題する中国特許出願第２０１６１１１８７８８５．６号に基づく優先権を主張するものであり、当該特許出願はその全体が参照により本明細書に組み込まれる。
【０００２】
本出願の実施形態はデータ伝送技術に関するものであり、具体的には、データ送信方法、データ受信方法、及びデバイスに関するものである。
【背景技術】
【０００３】
第５世代移動通信（ｔｈｅ  ５ｔｈ  Ｇｅｎｅｒａｔｉｏｎ  Ｍｏｂｉｌｅ  Ｃｏｍｍｕｎｉｃａｔｉｏｎ、５Ｇ）ネットワークでは、データが高周波数で伝送される。高周波信号は、比較的大きい伝搬損失を有する。したがって５Ｇネットワークでは、信号品質を向上させるために、ビームフォーミング（ｂｅａｍｆｏｒｍｉｎｇ）がデータ伝送に用いられる。具体的には、送信側デバイスが最適な信号品質の送信ビームを見つけ、また受信側が最適な信号品質の受信ビームを見つけるように、送信側デバイス及び受信側デバイスがビームトラッキング（ｂｅａｍ  ｔｒａｃｋｉｎｇ）を実施する。
【０００４】
高周波信号の伝送時に、受信側デバイスが物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を継続して監視することで生じる電力消費を回避するために、間欠受信（Ｄｉｓｃｏｎｔｉｎｕｏｕｓ  Ｒｅｃｅｐｔｉｏｎ）方式が５Ｇに導入される。この方式において、受信側デバイスはまず、最適な信号品質の受信ビームを見つけるためにビームトラッキングを実施する。次に受信側デバイスは、見つけたビームを用いてオンデュレーション（ｏｎ  Ｄｕｒａｔｉｏｎ）期間中にＰＤＣＣＨを監視し、別の時にはＰＤＣＣＨを監視しない。受信側デバイスが、送信側デバイスにより高周波信号を用いて送信されるダウンリンクデータをオンデュレーション期間中に受信した場合、受信側デバイスは起動（ａｃｔｉｖｅ）状態をある期間維持する。その期間の後に、ダウンリンクデータが続いて受信されなかった場合、受信側デバイスは休止（ｉｎａｃｔｉｖｅ）状態に再び入る。
【０００５】
ＤＲＸ方式において、受信側デバイスはまず、最適受信ビーム、つまり、最適な信号品質の受信ビームを探索する必要がある。しかしながら、比較的多数のビームがある場合、ビームトラッキングで比較的長い時間が費やされ、その結果、受信側デバイスは比較的大きい電力量を費やすことになる。
【発明の概要】
【０００６】
本出願の実施形態が、データ送信方法、データ受信方法、及びデバイスを提供する。ＤＲＸが低周波数で実施され、低周波数で実施されるＤＲＸオペレーションに基づいてビームトラッキングが開始され、不要なビームトラッキングを回避して受信側デバイスの電力を節約する。
【０００７】
第１の態様によれば、本出願の一実施形態がデータ受信方法を提供し、本方法は、受信側デバイスの観点から説明される。本方法において、受信側デバイスはＤＲＸパラメータに基づいて低周波数でＤＲＸオペレーションを実施し、ＤＲＸパラメータにより示される時間内に、送信側デバイスにより送信される第１の指示情報を受信する。第１の指示情報は、高周波数でデータを受信する準備を行うよう受信側デバイスに命令するのに用いられる。
【０００８】
本方法において、受信側デバイスは低周波数でＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
【０００９】
実現可能な設計例において、ＤＲＸパラメータにより示される時間内に、第１の周波数を用いて送信側デバイスにより送信される第１の指示情報を受信した後に、受信側デバイスはさらに、ビームトラッキングを開始して最適なビームを決定する。最適なビームを決定した後に、受信側デバイスは、送信側デバイスにより第２の周波数で送信されるデータを受信側デバイスが最適なビームを用いて第２の周波数で受信するように、最適なビームを示す第２の指示情報を送信側デバイスに送信する。
【００１０】
本方法において、受信側デバイスは低周波数のみでＤＲＸオペレーションを実施し、高周波数でデータを受信するよう受信側デバイスに命令する指示を受信した後で初めてビームトラッキングを開始し、不要なビームトラッキングを回避して受信側デバイスの電力を節約する。
【００１１】
実現可能な設計例において、間欠受信ＤＲＸパラメータに基づいて第１の周波数でＤＲＸオペレーションを実施する前に、受信側デバイスはさらに、送信側デバイスにより送信されるＤＲＸパラメータを第１の周波数で受信する。当該送信側デバイスは、第１の周波数及び第２の周波数をサポートする送信側デバイスである。
【００１２】
本方法において、受信側デバイスは、低周波数を用いて最適なビームを送信側デバイスに示す。
【００１３】
実現可能な設計例において、間欠受信ＤＲＸパラメータに基づいて第１の周波数でＤＲＸオペレーションを実施する前に、受信側デバイスはさらに、第１の周波数をサポートし且つ第２の周波数をサポートしない送信側デバイスにより送信されるＤＲＸパラメータを受信する。
【００１４】
本方法において、最適なビームは、高周波数を用いて送信側デバイスに示される。
【００１５】
実現可能な設計例において、ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む。
【００１６】
第２の態様によれば、本出願の一実施形態がデータ送信方法を提供し、本方法は、送信側デバイスの観点から説明される。本方法では、ＤＲＸパラメータに基づいて低周波数でＤＲＸオペレーションを実施するプロセスにおいて、ＤＲＸパラメータにより示される時間内に受信側デバイスが第１の指示情報を受信するように、送信側デバイスは、高周波数でデータを受信するよう受信側デバイスに命令するのに用いられる第１の指示情報を生成する。
【００１７】
本方法において、受信側デバイスは低周波数のみでＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
【００１８】
実現可能な設計例において、第１の指示情報を第１の周波数で受信側デバイスに送信した後に、送信側デバイスはさらに、受信側デバイスにより送信される第２の指示情報を受信することであって、第２の指示情報は最適なビームを示し、最適なビームは、受信側デバイスが第１の指示情報を受信した後にビームトラッキングを開始することによって受信側デバイスにより決定される、受信することと、受信側デバイスが最適なビームを用いて第２の周波数でデータを受信するように、第２の周波数でデータを受信側デバイスに送信することとを行う。
【００１９】
実現可能な設計例において、第１の指示情報を第１の周波数で受信側デバイスに送信する前に、送信側デバイスはさらに、ＤＲＸパラメータを受信側デバイスに送信する。当該送信側デバイスは、第１の周波数及び第２の周波数をサポートする送信側デバイスである。
【００２０】
実現可能な設計例において、ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む。
【００２１】
第３の態様によれば、本出願の一実施形態が受信側デバイスを提供する。本デバイスは、間欠受信ＤＲＸパラメータに基づいて第１の周波数でＤＲＸオペレーションを実施するように構成された処理モジュールと、ＤＲＸパラメータにより示される時間内に、第１の周波数を用いて送信側デバイスにより送信される第１の指示情報を受信するように構成された送受信機モジュールとを含み、第１の指示情報は、第２の周波数でデータを受信するよう受信側デバイスに命令する。
【００２２】
実現可能な設計例において、第１の周波数を用いて送信側デバイスにより送信される第１の指示情報が、ＤＲＸパラメータにより示される時間内に受信された後に、処理モジュールはさらに、ビームトラッキングを開始して最適なビームを決定するように構成され、送受信機モジュールはさらに、最適なビームを示す第２の指示情報を送信側デバイスに送信し、送信側デバイスにより第２の周波数で送信されるデータを最適なビームを用いて第２の周波数で受信するように構成される。
【００２３】
実現可能な設計例において、処理モジュールが間欠受信ＤＲＸパラメータに基づいて第１の周波数でＤＲＸオペレーションを実施する前に、送受信機モジュールはさらに、送信側デバイスにより送信されるＤＲＸパラメータを第１の周波数で受信するように構成され、当該送信側デバイスは、第１の周波数及び第２の周波数をサポートする送信側デバイスである。
【００２４】
実現可能な設計例において、処理モジュールが間欠受信ＤＲＸパラメータに基づいて第１の周波数でＤＲＸオペレーションを実施する前に、送受信機モジュールはさらに、第１の周波数をサポートし且つ第２の周波数をサポートしない送信側デバイスにより送信されるＤＲＸパラメータを受信するように構成される。
【００２５】
実現可能な設計例において、ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む。
【００２６】
第４の態様によれば、本出願の一実施形態が送信側デバイスを提供する。本デバイスは、第１の指示情報を生成するように構成された処理モジュールと、間欠受信ＤＲＸパラメータにより示される時間内に受信側デバイスが第１の指示情報を受信するように、第１の指示情報を第１の周波数で受信側デバイスに送信するよう構成された送受信機モジュールであって、第１の指示情報は第２の周波数でデータを受信するよう受信側デバイスに命令する、送受信機モジュールとを含む。
【００２７】
実現可能な設計例において、第１の指示情報を第１の周波数で受信側デバイスに送信した後に、送受信機モジュールはさらに、受信側デバイスにより送信される第２の指示情報を受信することであって、第２の指示情報は最適なビームを示し、最適なビームは、受信側デバイスが第１の指示情報を受信した後にビームトラッキングを開始することによって決定される、受信することと、受信側デバイスが最適なビームを用いて第２の周波数でデータを受信するように、第２の周波数でデータを受信側デバイスに送信することとを行うように構成される。
【００２８】
実現可能な設計例において、第１の指示情報を第１の周波数で受信側デバイスに送信する前に、送受信機モジュールはさらに、ＤＲＸパラメータを受信側デバイスに送信するように構成される。当該送信側デバイスは、第１の周波数及び第２の周波数をサポートする送信側デバイスである。
【００２９】
実現可能な設計例において、ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む。
【００３０】
第５の態様によれば、本出願の一実施形態が受信側デバイスを提供する。本デバイスは、プロセッサ、メモリ、通信インタフェース、及びシステムバスを含む。メモリ、通信インタフェース、及びプロセッサは、システムバスを用いて接続されて互いに通信し、メモリはコンピュータ実行可能命令を格納するように構成され、通信インタフェースは別のデバイスと通信するように構成され、プロセッサは、受信側デバイスが受信側デバイスに適用される前述の方法の各段階を実施するように、コンピュータ実行可能命令を実行するよう構成される。
【００３１】
第６の態様によれば、本出願の一実施形態が送信側デバイスを提供する。本デバイスは、プロセッサ、メモリ、通信インタフェース、及びシステムバスを含む。メモリ、通信インタフェース、及びプロセッサは、システムバスを用いて接続されて互いに通信し、メモリはコンピュータ実行可能命令を格納するように構成され、通信インタフェースは別のデバイスと通信するように構成され、プロセッサは、送信側デバイスが送信側デバイスに適用される前述の方法の各段階を実施するように、コンピュータ実行可能命令を実行するよう構成される。
【００３２】
第７の態様によれば、本出願の一実施形態が、前述の受信側デバイスにより用いられるコンピュータソフトウェア命令を格納するように構成されたコンピュータ記憶媒体を提供する。コンピュータソフトウェア命令は、第１の態様又は第１の態様の全ての実現可能な実施例を実施するように設計されたプログラムを含む。
【００３３】
第８の態様によれば、本出願の一実施形態が、前述の送信側デバイスにより用いられるコンピュータソフトウェア命令を格納するように構成されたコンピュータ記憶媒体を提供する。コンピュータソフトウェア命令は、第２の態様又は第２の態様の全ての実現可能な実施例を実施するように設計されたプログラムを含む。
【００３４】
第９の態様によれば、本出願の一実施形態がチップシステムを提供する。本チップシステムは、少なくとも１つのプロセッサ、メモリ、入出力部、及びバスを含む。少なくとも１つのプロセッサは、バスを用いてメモリ内の命令を取得し、前述の方法における受信側デバイスの意図された機能を実現する。
【００３５】
第１０の態様によれば、本出願の一実施形態がチップシステムを提供する。本チップシステムは、少なくとも１つのプロセッサ、メモリ、入出力部、及びバスを含む。少なくとも１つのプロセッサは、バスを用いてメモリ内の命令を取得し、前述の方法における送信側デバイスの意図された機能を実現する。
【００３６】
本出願の実施形態は、データ送信方法、データ受信方法、及びデバイスを提供する。当該データ送信方法において、受信側デバイスはＤＲＸパラメータに基づいて低周波数でＤＲＸオペレーションを実施し、ＤＲＸパラメータにより示される時間内に、送信側デバイスにより送信される第１の指示情報を受信する。第１の指示情報は、高周波数でデータを受信する準備を行うよう受信側デバイスに命令するのに用いられる。当該プロセスにおいて、受信側デバイスは低周波数のみでＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
【図面の簡単な説明】
【００３７】
【図１Ａ】データ受信方法が本出願に従って適用可能なシステムアーキテクチャの概略図である。
【００３８】
【図１Ｂ】データ受信方法が本出願に従って適用可能な別のシステムアーキテクチャの概略図である。
【００３９】
【図２】本出願によるデータ受信方法の実施形態１のシグナリング図である。
【００４０】
【図３】本出願による受信側デバイスの実施形態１の概略構造図である。
【００４１】
【図４】本出願による送信側デバイスの実施形態１の概略構造図である。
【００４２】
【図５】本出願による受信側デバイスの実施形態２の概略構造図である。
【００４３】
【図６】本出願による送信側デバイスの実施形態２の概略構造図である。
【発明を実施するための形態】
【００４４】
現在、ビームフォーミング及びＤＲＸ方式が、高周波数を用いてデータを伝送する場合に一緒に用いられている。ビームフォーミングは信号品質を向上させるために用いられ、ＤＲＸは、受信側デバイスがＰＤＣＣＨを継続して監視することにより生じる電力消費を減らすために用いられる。ビームフォーミング及びＤＲＸ方式が一緒に用いられる場合、受信側デバイスはまず、最適な受信ビーム、つまり、最適な信号品質の受信ビームを探索し、当該受信ビームを用いて、ＤＲＸのオンデュレーション期間中にＰＤＣＣＨを監視する必要がある。
【００４５】
前述のプロセスにおいて、受信側デバイスはまず、最適受信ビームを探索する必要がある。しかしながら、比較的多数のビームがある場合、ビームトラッキングで比較的長い時間が費やされ、その結果、受信側デバイスは比較的大きい電力量を費やすことになる。さらに、ＤＲＸにより示される起動状態において受信側デバイスがデータを何も受信しなかった場合、受信側デバイスがビームトラッキングで消費する電力が全て無駄になる。
【００４６】
このことを踏まえて、本出願の実施形態は、データ受信方法及びデバイスを提供する。ＤＲＸが低周波数で実施され、低周波数で実施されるＤＲＸオペレーションに基づいてビームトラッキングが開始され、不要なビームトラッキングを回避して受信側デバイスの電力を節約する。
【００４７】
複数の種類の端末が存在する様々な通信システムに、本明細書で説明される技術が適用されてよい。そのような通信システムは、例えば、移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、時分割多元接続（Ｔｉｍｅ  Ｄｉｖｉｓｉｏｎ  Ｍｕｌｔｉｐｌｅ  Ａｃｃｅｓｓ、ＴＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ（登録商標））システム、周波数分割多元接続（Ｆｒｅｑｕｅｎｃｙ  Ｄｉｖｉｓｉｏｎ  Ｍｕｌｔｉｐｌｅ  Ａｄｄｒｅｓｓｉｎｇ、ＦＤＭＡ）システム、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）システム、シングルキャリアＦＤＭＡ（ＳＣ−ＦＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、Ｅ−ＵＴＲＡシステム、５Ｇ移動通信システム、及びこの種類の別の通信システムである。
【００４８】
本出願の実施形態における受信側デバイス及び送信側デバイスは、相対的なものである。例えば、ダウンリンクデータ伝送において、送信側デバイスはネットワーク側デバイスであり、受信側デバイスはユーザ機器である。別の例では、アップリンクデータ伝送において、送信側デバイスはユーザ機器であり、受信側デバイスはネットワーク側デバイスである。さらに別の例では、デバイス間（Ｄｅｖｉｃｅ−ｔｏ−ｄｅｖｉｃｅ、Ｄ２Ｄ）通信において、受信側デバイス及び送信側デバイスは両方ともユーザ機器である。ネットワーク側デバイスは、基地局又はアクセスポイント（Ａｃｃｅｓｓ  Ｐｏｉｎｔ、ＡＰ）などであってよい。基地局は、アクセスネットワークのエアインタフェースを介し、１つ又は複数のセクターを用いて無線端末と通信するデバイスであってよい。基地局は、受信された無線フレームとＩＰパケットとを互いに変換し、無線端末とアクセスネットワークの残りの部分との間でルータの役割を果たすように構成されてよい。アクセスネットワークの残りの部分は、インターネットプロトコル（ＩＰ）ネットワークを含んでよい。基地局は、エアインタフェースの属性管理を調整してよい。例えば基地局は、ＧＳＭ（登録商標）若しくはＣＤＭＡにおけるベーストランシーバ基地局（Ｂａｓｅ  Ｔｒａｎｓｃｅｉｖｅｒ  Ｓｔａｔｉｏｎ、ＢＴＳ）であっても、ＷＣＤＭＡ（登録商標）におけるＮｏｄｅＢ（ＮｏｄｅＢ）であっても、又はＬＴＥにおける進化型ＮｏｄｅＢ（ＮｏｄｅＢ、ｅＮＢ、又はｅ−ＮｏｄｅＢ、ｅｖｏｌｕｔｉｏｎａｌ  ＮｏｄｅＢ）であっても、又は５ＧにおけるｇＮＢであってもよく、本出願において限定されるものではない。ユーザ機器は、有線端末であっても、又は無線端末であってもよい。無線端末は、ユーザに音声接続及び／又はデータ接続を提供するデバイスであっても、無線接続機能を備えたハンドヘルドデバイスであっても、又は無線モデムに接続された別の処理デバイスであってもよい。無線端末は、無線アクセスネットワーク（例えば、ＲＡＮ、無線アクセスネットワーク、５ＧのＲＡＮ、非３ＧＰＰのＲＡＮ）を通じて１つ又は複数のコアネットワークと通信してよい。無線端末は、例えば、携帯電話（「セルラ」電話とも呼ばれる）、及び移動端末を備えたコンピュータなどの移動端末であってよく、例えば、無線アクセスネットワークで音声及び／又はデータをやり取りする、携帯可能なポケットサイズでハンドヘルド型のコンピュータ内蔵又は車載用の移動装置であってよい。例えば、無線端末は、パーソナル通信サービス（Ｐｅｒｓｏｎａｌ  Ｃｏｍｍｕｎｉｃａｔｉｏｎ  Ｓｅｒｖｉｃ、ＰＣＳ）電話、コードレス電話セット、セッション開始プロトコル（ＳＩＰ）電話、無線ローカルループ（Ｗｉｒｅｌｅｓｓ  Ｌｏｃａｌ  Ｌｏｏ、ＷＬＬ）局、又は携帯情報端末（Ｐｅｒｓｏｎａｌ  Ｄｉｇｉｔａｌ  Ａｓｓｉｓｔａｎｔ、ＰＤＡ）などのデバイスであってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモート局（Ｒｅｍｏｔｅ  Ｓｔａｔｉｏｎ）、リモート端末��Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ）とも呼ばれることがある。
【００４９】
本出願の実施形態において、第１の周波数が低周波数であり、第２の周波数が高周波数である。言い換えれば、第２の周波数の周波数は第１の周波数の周波数より高い。通常、６ＧＨｚより低い周波数帯域が低周波数帯域であり、６ＧＨｚより高い周波数帯域が高周波数帯域である。
【００５０】
図１Ａは、データ受信方法が本出願に従って適用可能なシステムアーキテクチャの概略図である。図１Ｂは、データ受信方法が本出願に従って適用可能な別のシステムアーキテクチャの概略図である。具体的には送信側デバイスが基地局であり、具体的には受信側デバイスがユーザ機器である。
【００５１】
図１Ａを参照すると、高周波数及び低周波数が同じ基地局で利用されている。送信側デバイスは高周波通信能力及び低周波通信能力を両方とも有しており、受信側デバイスも高周波通信能力及び低周波通信能力を両方とも有している。
【００５２】
図１Ｂを参照すると、高周波数及び低周波数が異なる基地局で利用されている。具体的には、システム内に２つの基地局が存在する。一方の基地局には、高周波通信能力があるが低周波通信能力がなく、もう一方の基地局には、低周波通信能力があるが高周波通信能力がない。高周波数及び低周波数が異なる基地局で利用されるシナリオにおいて、高周波通信能力を有する基地局が、理想的なバックホール（ｂａｃｋｈａｕｌ）又は非理想的なバックホールを通じて、低周波通信能力を有する基地局に接続されてよく、受信側デバイスは、高周波通信能力及び低周波通信能力を両方とも有している。通常、高周波通信能力を有する基地局と受信側デバイスとは高周波数を用いて通信し、低周波通信能力を有する基地局と受信側デバイスとは低周波数を用いて通信する。
【００５３】
本出願の実施形態におけるデータ受信方法は、図１Ａ及び図１Ｂに基づいて詳細に説明される。詳細については、図２を参照されたい。
【００５４】
図２は、本出願によるデータ受信方法の実施形態１のシグナリング図である。以下に挙げる段階が含まれている。
【００５５】
１０１：送信側デバイスが第１の指示情報を生成する。
【００５６】
この段階において、送信側デバイスは、高周波数でデータを受信するよう受信側デバイスに命令する第１の指示情報を生成する。
【００５７】
一例において、送信側デバイスは、ＰＤＣＣＨのダウンリンク制御情報（Ｄｏｗｎｌｉｎｋ  Ｃｏｎｔｒｏｌ  Ｉｎｆｏｒｍａｔｉｏｎ、ＤＣＩ）に第１の指示情報を追加することにより、第１の指示情報を受信側デバイスに送信してよい。
【００５８】
別の例において、送信側デバイスは、媒体アクセス制御（Ｍｅｄｉａ  Ａｃｃｅｓｓ  Ｃｏｎｔｒｏｌ、ＭＡＣ）制御要素（Ｃｏｎｔｒｏｌ  Ｅｌｅｍｅｎｔ、ＣＥ）に第１の指示情報を追加することにより、第１の指示情報を受信側デバイスに送信してよい。
【００５９】
それ以外に、送信側デバイスはさらに、第１の指示情報を別の方式で受信側デバイスに送信してよい。このことは、本出願のこの実施形態において限定されるものではない。
【００６０】
１０２：受信側デバイスが間欠受信ＤＲＸパラメータに基づいて第１の周波数でＤＲＸオペレーションを実施する。
【００６１】
本出願のこの実施形態において、受信側デバイスは、低周波通信能力及び高周波通信能力を両方とも有するデバイスである。この段階において、受信側デバイスは、低周波数で、つまり第１の周波数でＤＲＸオペレーションを実施する。ＤＲＸパラメータは事前設定されてもよく、又は高周波通信能力及び低周波通信能力を両方とも有する送信側デバイスによって受信側デバイスに送信されてもよく、又は低周波通信能力のみを有する送信側デバイスによって受信側デバイスに送信されてもよい。
【００６２】
１０３：送信側デバイスは、第１の指示情報を第１の周波数で受信側デバイスに送信する。
【００６３】
この段階において、送信側デバイスは第１の指示情報を第１の周波数で受信側デバイスに送信し、それに応じて、受信側デバイスは第１の指示情報を受信する。受信側デバイスは、ＤＲＸパラメータに基づいて第１の周波数でＤＲＸオペレーションを実施するので、受信側デバイスは、ＤＲＸにより示される時間内に、送信側デバイスにより第１の周波数を用いて送信される第１の指示情報を受信してよい。ＤＲＸが示す時間は、例えば、ＤＲＸパラメータに含まれるオンデュレーションタイマ（Ｏｎ  Ｄｕｒａｔｉｏｎ  Ｔｉｍｅｒ）の継続時間である。
【００６４】
本出願のこの実施形態において、ＤＲＸパラメータは、ＤＲＸ周期、オンデュレーションタイマ（Ｏｎ  Ｄｕｒａｔｉｏｎ  Ｔｉｍｅｒ）、ＤＲＸ休止タイマ（Ｄｒｘ  Ｉｎａｃｔｉｖｉｔｙ  Ｔｉｍｅｒ）、ＤＲＸ再送信タイマ（ｄｒｘ−ＲｅｔｒａｎｓｍｉｓｓｉｏｎＴｉｍｅｒ）、長ＤＲＸ周期開始サブフレーム（ｌｏｎｇＤＲＸ−ＣｙｃｌｅＳｔａｒｔＯｆｆｓｅｔ）、短ＤＲＸ周期、及びＤＲＸ短周期タイマ（ｄｒｘＳｈｏｒｔＣｙｃｌｅＴｉｍｅｒ）などを含む。周期とは、例えば、長周期又は短周期である。長周期を有するＤＲＸの長さが長ＤＲＸ周期と呼ばれ、短周期を有するＤＲＸの長さが短ＤＲＸ周期と呼ばれる。オンデュレーションタイマ（Ｏｎ  Ｄｕｒａｔｉｏｎ  Ｔｉｍｅｒ）は、受信側デバイスが毎回起動した後に起動状態を保っている時間を示す。受信側デバイスは、この期間に第１の周波数でＰＤＣＣＨを監視する。ＤＲＸ休止タイマ（Ｄｒｘ  Ｉｎａｃｔｉｖｉｔｙ  Ｔｉｍｅｒ）は、受信側デバイスがオンデュレーションタイマの継続時間中にＰＤＣＣＨの監視に成功した場合、受信側デバイスが起動状態を保つ必要がある時間を示す。受信側デバイスは、この期間に第２の周波数でデータを受信する。
【００６５】
例えば、ＤＲＸパラメータにおいて、ＤＲＸが長周期を有するＤＲＸであり、周期長が３２０ミリ秒であり、オンデュレーションタイマの継続時間が５ミリ秒であり、ＤＲＸ休止タイマの継続時間が１０ミリ秒であると仮定する。受信側デバイスは、３２０ミリ秒ごとに起動し、ＰＤＣＣＨを第１の周波数で５ミリ秒間継続して監視する。受信側デバイスが５ミリ秒以内にデータを受信した場合、受信側デバイスはＤＲＸ休止タイマ（１０ミリ秒）を始動する。タイマは、１ミリ秒ごとに１だけ減少する。受信側デバイスは、ＤＲＸ休止タイマの継続時間内に第２の周波数でデータを受信する。ＤＲＸ休止タイマが０になる前に受信側デバイスがデータを何も受信しなかった場合、受信側デバイスは休止状態に入る。ＤＲＸ休止タイマが０になる前に受信側デバイスがデータを受信した場合、ＤＲＸ休止タイマは０に設定されて再び時間を計る。
【００６６】
本出願のこの実施形態において提供されるデータ受信方法によれば、受信側デバイスは、ＤＲＸパラメータに基づいて低周波数でＤＲＸオペレーションを実施し、ＤＲＸパラメータにより示される時間内に、送信側デバイスにより送信される第１の指示情報を受信する。第１の指示情報は、高周波数でデータを受信する準備を行うよう受信側デバイスに命令するのに用いられる。このプロセスにおいて、受信側デバイスは低周波数のみでＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
【００６７】
任意選択的に、前述の実施形態において、ＤＲＸパラメータにより示される時間内に、送信側デバイスにより第１の周波数を用いて送信される第１の指示情報を受信した後に、受信側デバイスは、ビームトラッキングを開始して最適なビームを決定し、第２の指示情報を送信側デバイスに送信する。第２の指示情報は最適なビームを示す。
【００６８】
具体的には、第１の指示情報を受信した後に、受信側デバイスは、ビームトラッキングを開始して最適なビームを探索する。最適なビームは、例えば、最適な信号品質のビームである。最適なビームを見つけた後に、受信側デバイスは、第２の指示情報を送信側デバイスに送信して最適なビームを送信側デバイスに示す。
【００６９】
送信側デバイスの場合、送信側デバイスは、受信側デバイスが最適なビームを用いて第２の周波数でデータを受信するように、第２の周波数でデータを受信側デバイスに送信する。
【００７０】
具体的には、最適なビームを示す第２の指示情報を受信した後に、送信側デバイスは、送信側デバイスにより第２の周波数で送信されるデータを受信側デバイスが最適なビームを用いて第２の周波数で受信するように、高周波数で、つまり第２の周波数でデータを受信側デバイスに送信する。
【００７１】
前述の実施形態において、受信側デバイスは、ＤＲＸパラメータに基づいて低周波数でＤＲＸオペレーションを実施し、ＤＲＸパラメータにより示される時間内に、送信側デバイスにより送信される第１の指示情報を受信する。第１の指示情報は、高周波数でデータを受信する準備を行うよう受信側デバイスに命令するのに用いられる。次に受信側デバイスは、ビームトラッキングを開始して最適なビームを探索し、その後、送信側デバイスが第２の指示情報を受信した後に高周波数でデータを送信するように、最適なビームを第２の指示情報を用いて送信側デバイスにフィードバックする。それに応じて、受信側デバイスは、最適なビームを用いて高周波数でデータを受信する。このプロセスにおいて、受信側デバイスは、低周波数のみでＤＲＸオペレーションを実施し、高周波数でデータを受信するよう受信側デバイスに命令する指示を受信した後で初めてビームトラッキングを開始し、不要なビームトラッキングを回避して受信側デバイスの電力を節約する。
【００７２】
任意選択的に、前述の実施形態において、最適なビームを示す第２の指示情報を送信側デバイスに送信する場合、受信側デバイスは具体的に、第２の指示情報を第１の周波数で送信側デバイスに送信し、低周波数を用いて最適なビームを送信側デバイスに示してよい。
【００７３】
任意選択的に、前述の実施形態において、最適なビームを示す第２の指示情報を送信側デバイスに送信する場合、受信側デバイスは具体的に、第２の指示情報を第２の周波数で送信側デバイスに送信し、高周波数を用いて最適なビームを送信側デバイスに示してよい。
【００７４】
任意選択的に、前述の実施形態において、低周波数及び高周波数が同じ基地局で利用されている場合、ＤＲＸパラメータに基づいて第１の周波数でＤＲＸオペレーションを実施する前に、受信側デバイスはさらに、高周波通信能力及び低周波通信能力を両方とも有する送信側デバイスによって低周波数を用いて送信されるＤＲＸパラメータを受信する。高周波通信能力及び低周波通信能力を両方とも有する送信側デバイスと、第１の指示情報を送信する送信側デバイスとは、同じデバイス又は異なるデバイスである。
【００７５】
任意選択的に、前述の実施形態において、低周波数及び高周波数が異なる基地局で利用されている場合、ＤＲＸパラメータに基づいて第１の周波数でＤＲＸオペレーションを実施する前に、受信側デバイスはさらに、低周波通信能力を有する送信側デバイスによって低周波数を用いて送信されるＤＲＸパラメータを受信する。低周波通信能力を有する送信側デバイスと、第１の指示情報を送信する送信側デバイスとは、異なるデバイスである。第１の指示情報を送信する送信側デバイスは、高周波通信能力を有するデバイスである。
【００７６】
図３は、本出願による受信側デバイスの実施形態１の概略構造図である。この実施形態において提供される受信側デバイスは、受信側デバイスに適用され且つ本出願の任意の実施形態において提供される方法の各段階を実現してよい。具体的には、この実施形態において提供される受信側デバイス１００は、間欠受信ＤＲＸパラメータに基づいて第１の周波数でＤＲＸオペレーションを実施するように構成された処理モジュール１１と、ＤＲＸパラメータにより示される時間内に、送信側デバイスにより第１の周波数を用いて送信される第１の指示情報を受信するように構成された送受信機モジュール１２とを含み、第１の指示情報は、第２の周波数でデータを受信するよう受信側デバイスに命令する。
【００７７】
本出願のこの実施形態において提供される受信側デバイスは、ＤＲＸパラメータに基づいて低周波数でＤＲＸオペレーションを実施し、ＤＲＸパラメータにより示される時間内に、送信側デバイスにより送信される第１の指示情報を受信する。第１の指示情報は、高周波数でデータを受信する準備を行うよう受信側デバイスに命令するのに用いられる。このプロセスにおいて、受信側デバイスは低周波数のみでＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
【００７８】
任意選択的に、本出願の一実施形態において、送信側デバイスにより第１の周波数を用いて送信される第１の指示情報が、ＤＲＸパラメータにより示される時間内に受信された後に、処理モジュール１１はさらに、ビームトラッキングを開始して最適なビームを決定するように構成される。
【００７９】
送受信機モジュール１２はさらに、最適なビームを示す第２の指示情報を送信側デバイスに送信し、送信側デバイスにより第２の周波数で送信されるデータを、最適なビームを用いて第２の周波数で受信するように構成される。
【００８０】
任意選択的に、本出願の一実施形態において、処理モジュール１１が間欠受信ＤＲＸパラメータに基づいて第１の周波数でＤＲＸオペレーションを実施する前に、送受信機モジュール１２はさらに、送信側デバイスにより送信されるＤＲＸパラメータを第１の周波数で受信するように構成される。当該送信側デバイスは、第１の周波数及び第２の周波数をサポートする送信側デバイスである。
【００８１】
任意選択的に、本出願の一実施形態において、処理モジュール１１が間欠受信ＤＲＸパラメータに基づいて第１の周波数でＤＲＸオペレーションを実施する前に、送受信機モジュール１２はさらに、第１の周波数をサポートし且つ第２の周波数をサポートしない送信側デバイスにより送信されるＤＲＸパラメータを受信するように構成される。
【００８２】
任意選択的に、本出願の一実施形態において、ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む。
【００８３】
図４は、本出願による送信側デバイスの実施形態１の概略構造図である。この実施形態において提供される送信側デバイスは、送信側デバイスに適用され且つ本出願の任意の実施形態において提供される方法の各段階を実現してよい。具体的には、この実施形態において提供される送信側デバイス２００が、第１の指示情報を生成するように構成された処理モジュール２１と、間欠受信ＤＲＸパラメータにより示される時間内に受信側デバイスが第１の指示情報を受信するように、第１の指示情報を第１の周波数で受信側デバイスに送信するよう構成された送受信機モジュール２２であって、第１の指示情報は、第２の周波数でデータを受信するよう受信側デバイスに命令する、送受信機モジュール２２とを含む。
【００８４】
本出願のこの実施形態において提供される送信側デバイスは、ＤＲＸパラメータに基づいて低周波数でＤＲＸオペレーションを実施するプロセスにおいて、ＤＲＸパラメータにより示される時間内に受信側デバイスが第１の指示情報を受信するように、高周波数でデータを受信するよう受信側デバイスに命令するのに用いられる第１の指示情報を生成する。当該プロセスにおいて、受信側デバイスは低周波数のみでＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
【００８５】
任意選択的に、本出願の一実施形態において、第１の指示情報を第１の周波数で受信側デバイスに送信した後に、送受信機モジュール２２はさらに、受信側デバイスにより送信される第２の指示情報を受信することであって、第２の指示情報は最適なビームを示し、最適なビームは、受信側デバイスが第１の指示情報を受信した後にビームトラッキングを開始することによって決定される、受信することと、受信側デバイスが最適なビームを用いて第２の周波数でデータを受信するように、第２の周波数でデータを受信側デバイスに送信することとを行うように構成される。
【００８６】
任意選択的に、本出願の一実施形態において、第１の指示情報を第１の周波数で受信側デバイスに送信する前に、送受信機モジュール２２はさらに、ＤＲＸパラメータを受信側デバイスに送信するように構成される。当該送信側デバイスは、第１の周波数及び第２の周波数をサポートする送信側デバイスである。
【００８７】
任意選択的に、本出願の一実施形態において、ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む。
【００８８】
図５は、本出願による受信側デバイスの実施形態２の概略構造図である。この実施形態において提供される受信側デバイス３００が、プロセッサ３１、メモリ３２、通信インタフェース３３、及びシステムバス３４を含む。メモリ３２、通信インタフェース３３、及びプロセッサ３１は、システムバス３４を用いて接続されて互いに通信する。メモリ３２は、コンピュータ実行可能命令を格納するように構成される。通信インタフェース３３は、別のデバイスと通信するように構成される。プロセッサ３１は、受信側デバイスに適用される前述の方法の各段階を受信側デバイスが実施するように、コンピュータ実行可能命令を実行するよう構成される。
【００８９】
図６は、本出願による送信側デバイスの実施形態２の概略構造図である。この実施形態において提供される送信側デバイス４００が、プロセッサ４１、メモリ４２、通信インタフェース４３、及びシステムバス４４を含む。メモリ４２、通信インタフェース４３、及びプロセッサ４１は、システムバス４４を用いて接続されて互いに通信する。メモリ４２は、コンピュータ実行可能命令を格納するように構成される。通信インタフェース４３は、別のデバイスと通信するように構成される。プロセッサ４１は、送信側デバイスに適用される前述の方法の各段階を送信側デバイスが実施するように、コンピュータ実行可能命令を実行するよう構成される。
【００９０】
図５及び図６で言及したシステムバスは、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、ＰＣＩ）バス、又は拡張業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、ＥＩＳＡ）バスなどであってよい。システムバスは、アドレスバス、データバス、及び制御バスなどに分類され得る。表現しやすくするために、バスは、図の中では１本の太線のみを用いて表されている。しかしながら、１本のバスのみ又は１種類のバスのみが存在することを意味するわけではない。通信インタフェースは、データベースアクセス装置と、別のデバイス（クライアント、読み出し／書き込み用データベース、又は読み出し専用データベースなど）との間の通信を実現するように構成される。メモリは、ランダムアクセスメモリ（ｒａｎｄｏｍ  ａｃｃｅｓｓ  ｍｅｍｏｒｙ、ＲＡＭ）を含んでもよく、又は不揮発性メモリ（ｎｏｎ−ｖｏｌａｔｉｌｅ  ｍｅｍｏｒｙ）、例えば、少なくとも１つの磁気ディスクメモリであってもよい。
【００９１】
プロセッサは、中央演算処理装置（Ｃｅｎｔｒａｌ  Ｐｒｏｃｅｓｓｉｎｇ  Ｕｎｉｔ、ＣＰＵ）又はネットワークプロセッサ（Ｎｅｔｗｏｒｋ  Ｐｒｏｃｅｓｓｏｒ、ＮＰ）などを含む汎用プロセッサであってもよく、又はデジタル信号プロセッサ（Ｄｉｇｉｔａｌ  Ｓｉｇｎａｌ  Ｐｒｏｃｅｓｓｉｎｇ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）若しくは別のプログラム可能型論理デバイス、ディスクリートゲート若しくはトランジスタ論理デバイス、若しくはディスクリートハードウェアコンポーネントであってもよい。
【図１Ａ】
2020502889.tif 000003
【図１Ｂ】
2020502889.tif 000004
【図２】
2020502889.tif 000005
【図３】
2020502889.tif 000006
【図４】
2020502889.tif 000007
【図５】
2020502889.tif 000008
【図６】
2020502889.tif 000009
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
データ受信方法であって、
受信側デバイスが間欠受信（ＤＲＸ）パラメータに基づいて第１の周波数でＤＲＸオペレーションを実施する段階と、
前記受信側デバイスが、前記ＤＲＸパラメータにより示される時間内に、送信側デバイスにより前記第１の周波数を用いて送信される第１の指示情報を受信する段階であって、前記第１の指示情報は第２の周波数でデータを受信するよう前記受信側デバイスに命令する、段階と
を備える方法。
【請求項２】
前記受信側デバイスが、前記ＤＲＸパラメータにより示される時間内に、送信側デバイスにより前記第１の周波数を用いて送信される第１の指示情報を受信する前記段階の後に、前記方法はさらに、
前記受信側デバイスがビームトラッキングを開始して最適なビームを決定する段階と、
前記受信側デバイスが第２の指示情報を前記送信側デバイスに送信する段階であって、前記第２の指示情報は前記最適なビームを示す、段階と、
前記受信側デバイスが前記最適なビームを用いて前記第２の周波数で、前記送信側デバイスにより前記第２の周波数で送信されるデータを受信する段階と
を備える、請求項１に記載の方法。
【請求項３】
受信側デバイスが間欠受信（ＤＲＸ）パラメータに基づいて第１の周波数でＤＲＸオペレーションを実施する前記段階の前に、前記方法はさらに、
前記送信側デバイスにより送信される前記ＤＲＸパラメータを前記受信側デバイスが前記第１の周波数で受信する段階を備え、前記送信側デバイスは、前記第１の周波数及び前記第２の周波数をサポートする送信側デバイスである、請求項１又は２に記載の方法。
【請求項４】
受信側デバイスが間欠受信（ＤＲＸ）パラメータに基づいて第１の周波数でＤＲＸオペレーションを実施する前記段階の前に、前記方法はさらに、
前記第１の周波数をサポートし且つ前記第２の周波数をサポートしない送信側デバイスにより送信される前記ＤＲＸパラメータを前記受信側デバイスが受信する段階を備える、請求項１又は２に記載の方法。
【請求項５】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項１から４のいずれか一項に記載の方法。
【請求項６】
データ送信方法であって、
送信側デバイスが第１の指示情報を生成する段階と、
間欠受信（ＤＲＸ）パラメータにより示される時間内に受信側デバイスが前記第１の指示情報を受信するように、前記送信側デバイスが前記第１の指示情報を第１の周波数で前記受信側デバイスに送信する段階であって、前記第１の指示情報は第２の周波数でデータを受信するよう前記受信側デバイスに命令する、段階と
を備える方法。
【請求項７】
前記送信側デバイスが前記第１の指示情報を前記第１の周波数で前記受信側デバイスに送信する前記段階の後に、前記方法はさらに、
前記送信側デバイスが前記受信側デバイスにより送信される第２の指示情報を受信する段階であって、前記第２の指示情報は最適なビームを示し、前記最適なビームは、前記第１の指示情報を受信した後にビームトラッキングを開始することによって前記受信側デバイスにより決定される、段階と、
前記受信側デバイスが前記最適なビームを用いて前記第２の周波数で前記データを受信するように、前記送信側デバイスが前記受信側デバイスにデータを前記第２の周波数で送信する段階と
を備える、請求項６に記載の方法。
【請求項８】
前記送信側デバイスが前記第１の指示情報を前記第１の周波数で前記受信側デバイスに送信する前記段階の前に、前記方法はさらに、
前記送信側デバイスが前記ＤＲＸパラメータを前記受信側デバイスに送信する段階を備え、前記送信側デバイスは、前記第１の周波数及び前記第２の周波数をサポートする送信側デバイスである、請求項６又は７に記載の方法。
【請求項９】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項６から８のいずれか一項に記載の方法。
【請求項１０】
受信側デバイスであって、 
間欠受信（ＤＲＸ）パラメータに基づいて第１の周波数でＤＲＸオペレーションを実施するように構成された処理モジュールと、
前記ＤＲＸパラメータにより示される時間内に、前記第１の周波数を用いて送信側デバイスにより送信される第１の指示情報を受信するように構成された送受信機モジュールであって、前記第１の指示情報は第２の周波数でデータを受信するよう前記受信側デバイスに命令する、送受信機モジュールと
を備える受信側デバイス。
【請求項１１】
前記第１の周波数を用いて前記送信側デバイスにより送信される前記第１の指示情報が、前記ＤＲＸパラメータにより示される前記時間内に受信された後に、前記処理モジュールはさらに、ビームトラッキングを開始して最適なビームを決定するように構成され、
前記送受信機モジュールはさらに、前記最適なビームを示す第２の指示情報を前記送信側デバイスに送信し、前記送信側デバイスにより前記第２の周波数で送信されるデータを前記最適なビームを用いて前記第２の周波数で受信するように構成される、請求項１０に記載の受信側デバイス。
【請求項１２】
前記処理モジュールが前記間欠受信（ＤＲＸ）パラメータに基づいて前記第１の周波数で前記ＤＲＸオペレーションを実施する前に、前記送受信機モジュールはさらに、前記送信側デバイスにより送信される前記ＤＲＸパラメータを前記第１の周波数で受信するように構成され、前記送信側デバイスは、前記第１の周波数及び前記第２の周波数をサポートする送信側デバイスである、請求項１０又は１１に記載の受信側デバイス。
【請求項１３】
前記処理モジュールが前記間欠受信（ＤＲＸ）パラメータに基づいて前記第１の周波数で前記ＤＲＸオペレーションを実施する前に、前記送受信機モジュールはさらに、前記第１の周波数をサポートし且つ前記第２の周波数をサポートしない送信側デバイスにより送信される前記ＤＲＸパラメータを受信するように構成される、請求項１０又は１１に記載の受信側デバイス。
【請求項１４】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項１０から１３のいずれか一項に記載の受信側デバイス。
【請求項１５】
第１の指示情報を生成するように構成された処理モジュールと、
受信側デバイスが間欠受信（ＤＲＸ）パラメータにより示される時間内に前記第１の指示情報を受信するように、前記第１の指示情報を第１の周波数で前記受信側デバイスに送信するよう構成された送受信機モジュールであって、前記第１の指示情報は第２の周波数でデータを受信するよう前記受信側デバイスに命令する、送受信機モジュールと
を備える送信側デバイス。
【請求項１６】
前記第１の指示情報を前記第１の周波数で前記受信側デバイスに送信した後に、前記送受信機モジュールはさらに、
前記受信側デバイスにより送信される第２の指示情報を受信することであって、前記第２の指示情報は最適なビームを示し、前記最適なビームは、前記第１の指示情報を受信した後にビームトラッキングを開始することによって前記受信側デバイスにより決定される、受信することと、
前記受信側デバイスが前記最適なビームを用いて前記第２の周波数で前記データを受信するように、前記第２の周波数でデータを前記受信側デバイスに送信することと
を行うように構成される、請求項１５に記載の送信側デバイス。
【請求項１７】
前記第１の指示情報を前記第１の周波数で前記受信側デバイスに送信する前に、前記送受信機モジュールはさらに、前記ＤＲＸパラメータを前記受信側デバイスに送信するように構成され、前記送信側デバイスは、前記第１の周波数及び前記第２の周波数をサポートする送信側デバイスである、請求項１５又は１６に記載の送信側デバイス。
【請求項１８】
前記ＤＲＸパラメータは、オンデュレーションタイマ、ＤＲＸ休止タイマ、ＤＲＸ再送信タイマ、長ＤＲＸ周期開始サブフレーム、短ＤＲＸ周期、又はＤＲＸ短周期タイマのうちの少なくとも１つを含む、請求項１５から１７のいずれか一項に記載の送信側デバイス。
【手続補正２】
【補正対象書類名】明細書
【補正対象項目名】０００３
【補正方法】変更
【補正の内容】
【０００３】
第５世代移動通信（５Ｇ）ネットワークでは、データが高周波数で伝送される。高周波信号は、比較的大きい伝搬損失を有する。したがって５Ｇネットワークでは、信号品質を向上させるために、ビームフォーミング（ｂｅａｍｆｏｒｍｉｎｇ）がデータ伝送に用いられる。具体的には、送信側デバイスが最適な信号品質の送信ビームを見つけ、また受信側が最適な信号品質の受信ビームを見つけるように、送信側デバイス及び受信側デバイスがビームトラッキング（ｂｅａｍ  ｔｒａｃｋｉｎｇ）を実施する。
【手続補正３】
【補正対象書類名】明細書
【補正対象項目名】０００４
【補正方法】変更
【補正の内容】
【０００４】
高周波信号の伝送時に、受信側デバイスが物理ダウンリンク制御チャネル（ＰＤＣＣＨ）を継続して監視することで生じる電力消費を回避するために、間欠受信（Ｄｉｓｃｏｎｔｉｎｕｏｕｓ  Ｒｅｃｅｐｔｉｏｎ）方式が５Ｇに導入される。この方式において、受信側デバイスはまず、最適な信号品質の受信ビームを見つけるためにビームトラッキングを実施する。次に受信側デバイスは、見つけたビームを用いてオンデュレーション期間中にＰＤＣＣＨを監視し、別の時にはＰＤＣＣＨを監視しない。受信側デバイスが、送信側デバイスにより高周波信号を用いて送信されるダウンリンクデータをオンデュレーション期間中に受信した場合、受信側デバイスは起動（ａｃｔｉｖｅ）状態をある期間維持する。その期間の後に、ダウンリンクデータが続いて受信されなかった場合、受信側デバイスは休止（ｉｎａｃｔｉｖｅ）状態に再び入る。
【手続補正４】
【補正対象書類名】明細書
【補正対象項目名】００１０
【補正方法】変更
【補正の内容】
【００１０】
本方法において、受信側デバイスは低周波数のみでＤＲＸオペレーションを実施し、高周波数でデータを受信するよう受信側デバイスに命令する第１の指示情報を受信した後で初めてビームトラッキングを開始し、不要なビームトラッキングを回避して受信側デバイスの電力を節約する。
【手続補正５】
【補正対象書類名】明細書
【補正対象項目名】００４４
【補正方法】変更
【補正の内容】
【００４４】
現在、ビームフォーミング及びＤＲＸ方式が、高周波数を用いてデータを伝送する場合に一緒に用いられている。ビームフォーミングは信号品質を向上させるために用いられ、ＤＲＸ方式は、受信側デバイスがＰＤＣＣＨを継続して監視することにより生じる電力消費を減らすために用いられる。ビームフォーミング及びＤＲＸ方式が一緒に用いられる場合、受信側デバイスはまず、最適な受信ビーム、つまり、最適な信号品質の受信ビームを探索し、当該受信ビームを用いて、ＤＲＸのオンデュレーション期間中にＰＤＣＣＨを監視する必要がある。
【手続補正６】
【補正対象書類名】明細書
【補正対象項目名】００４７
【補正方法】変更
【補正の内容】
【００４７】
複数の種類の端末が存在する様々な通信システムに、本明細書で説明される技術が適用されてよい。そのような通信システムは、例えば、移動通信用グローバルシステム（ＧＳＭ（登録商標））、符号分割多元接続（ＣＤＭＡ）システム、時分割多元接続（ＴＤＭＡ）システム、広帯域符号分割多元接続（ＷＣＤＭＡ（登録商標））システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、汎用パケット無線サービス（ＧＰＲＳ）システム、ロングタームエボリューション（ＬＴＥ）システム、Ｅ−ＵＴＲＡシステム、５Ｇ移動通信システム、及びこの種類の別の通信システムである。
【手続補正７】
【補正対象書類名】明細書
【補正対象項目名】００４８
【補正方法】変更
【補正の内容】
【００４８】
本出願の実施形態における受信側デバイス及び送信側デバイスは、相対的なものである。例えば、ダウンリンクデータ伝送において、送信側デバイスはネットワーク側デバイスであり、受信側デバイスはユーザ機器である。別の例では、アップリンクデータ伝送において、送信側デバイスはユーザ機器であり、受信側デバイスはネットワーク側デバイスである。さらに別の例では、デバイス間（Ｄ２Ｄ）通信において、受信側デバイス及び送信側デバイスは両方ともユーザ機器である。ネットワーク側デバイスは、基地局又はアクセスポイント（ＡＰ）などであってよい。基地局は、アクセスネットワークのエアインタフェースを介し、１つ又は複数のセクターを用いて無線端末と通信するデバイスであってよい。基地局は、受信された無線フレームとＩＰパケットとを互いに変換し、無線端末とアクセスネットワークの残りの部分との間でルータの役割を果たすように構成されてよい。アクセスネットワークの残りの部分は、インターネットプロトコル（ＩＰ）ネットワークを含んでよい。基地局は、エアインタフェースの属性管理を調整してよい。例えば基地局は、ＧＳＭ（登録商標）若しくはＣＤＭＡにおけるベーストランシーバ基地局（ＢＴＳ）であっても、ＷＣＤＭＡ（登録商標）におけるＮｏｄｅＢ（ＮｏｄｅＢ）であっても、又はＬＴＥにおける進化型ＮｏｄｅＢ（ＮｏｄｅＢ、ｅＮＢ、又はｅ−ＮｏｄｅＢ、ｅｖｏｌｕｔｉｏｎａｌ  ＮｏｄｅＢ）であっても、又は５ＧにおけるｇＮＢであってもよく、本出願において限定されるものではない。ユーザ機器は、有線端末であっても、又は無線端末であってもよい。無線端末は、ユーザに音声接続及び／又はデータ接続を提供するデバイスであっても、無線接続機能を備えたハンドヘルドデバイスであっても、又は無線モデムに接続された別の処理デバイスであってもよい。無線端末は、無線アクセスネットワーク（例えば、ＲＡＮ、無線アクセスネットワーク、５ＧのＲＡＮ、非３ＧＰＰのＲＡＮ）を通じて１つ又は複数のコアネットワークと通信してよい。無線端末は、例えば、携帯電話（「セルラ」電話とも呼ばれる）、及び移動端末を備えたコンピュータなどの移動端末であってよく、例えば、無線アクセスネットワークで音声及び／又はデータをやり取りする、携帯可能なポケットサイズでハンドヘルド型のコンピュータ内蔵又は車載用の移動装置であってよい。例えば、無線端末は、パーソナル通信サービス（ＰＣＳ）電話、コードレス電話セット、セッション開始プロトコル（ＳＩＰ）電話、無線ローカルループ（ＷＬＬ）局、又は携帯情報端末（ＰＤＡ）などのデバイスであってよい。無線端末は、システム、加入者ユニット、加入者局、移動局、モバイルコンソール、リモート局、リモート端末、アクセス端末、ユーザ端末、ユーザエージェント、ユーザデバイス、又はユーザ機器とも呼ばれることがある。
【手続補正８】
【補正対象書類名】明細書
【補正対象項目名】００４９
【補正方法】変更
【補正の内容】
【００４９】
本出願の実施形態において、第１の周波数が低周波数であり、第２の周波数が高周波数である。言い換えれば、第２の周波数は第１の周波数より高い。通常、６ＧＨｚより低い周波数帯域が低周波数帯域であり、６ＧＨｚより高い周波数帯域が高周波数帯域である。
【手続補正９】
【補正対象書類名】明細書
【補正対象項目名】００５２
【補正方法】変更
【補正の内容】
【００５２】
図１Ｂを参照すると、高周波数及び低周波数が異なる基地局で利用されている。具体的には、システム内に２つの基地局が存在する。一方の基地局には、高周波通信能力があるが低周波通信能力がなく、もう一方の基地局には、低周波通信能力があるが高周波通信能力がない。高周波数及び低周波数が異なる基地局で利用されるシナリオにおいて、高周波通信能力を有する基地局が、理想的なバックホール又は非理想的なバックホールを通じて、低周波通信能力を有する基地局に接続されてよく、受信側デバイスは、高周波通信能力及び低周波通信能力を両方とも有している。通常、高周波通信能力を有する基地局と受信側デバイスとは高周波数を用いて通信し、低周波通信能力を有する基地局と受信側デバイスとは低周波数を用いて通信する。
【手続補正１０】
【補正対象書類名】明細書
【補正対象項目名】００５７
【補正方法】変更
【補正の内容】
【００５７】
一例において、送信側デバイスは、ＰＤＣＣＨのダウンリンク制御情報（ＤＣＩ）に第１の指示情報を追加することにより、第１の指示情報を受信側デバイスに送信してよい。
【手続補正１１】
【補正対象書類名】明細書
【補正対象項目名】００５８
【補正方法】変更
【補正の内容】
【００５８】
別の例において、送信側デバイスは、媒体アクセス制御（ＭＡＣ）制御要素（ＣＥ）に第１の指示情報を追加することにより、第１の指示情報を受信側デバイスに送信してよい。
【手続補正１２】
【補正対象書類名】明細書
【補正対象項目名】００６３
【補正方法】変更
【補正の内容】
【００６３】
この段階において、送信側デバイスは第１の指示情報を第１の周波数で受信側デバイスに送信し、それに応じて、受信側デバイスは第１の指示情報を受信する。受信側デバイスは、ＤＲＸパラメータに基づいて第１の周波数でＤＲＸオペレーションを実施するので、受信側デバイスは、ＤＲＸパラメータにより示される時間内に、送信側デバイスにより第１の周波数を用いて送信される第１の指示情報を受信してよい。ＤＲＸが示す時間は、例えば、ＤＲＸパラメータに含まれるオンデュレーションタイマ（Ｏｎ  Ｄｕｒａｔｉｏｎ  Ｔｉｍｅｒ）の継続時間である。
【手続補正１３】
【補正対象書類名】明細書
【補正対象項目名】００６５
【補正方法】変更
【補正の内容】
【００６５】
例えば、ＤＲＸパラメータにおいて、ＤＲＸが長周期を有するＤＲＸであり、周期長が３２０ミリ秒であり、オンデュレーションタイマの継続時間が５ミリ秒であり、ＤＲＸ休止タイマの継続時間が１０ミリ秒であると仮定する。受信側デバイスは、３２０ミリ秒ごとに起動し、ＰＤＣＣＨを第１の周波数で５ミリ秒間継続して監視する。受信側デバイスが５ミリ秒以内にデータを受信した場合、受信側デバイスはＤＲＸ休止タイマ（１０ミリ秒）を始動する。タイマの値が、１ミリ秒ごとに１だけ減少する。受信側デバイスは、ＤＲＸ休止タイマの継続時間内に第２の周波数でデータを受信する。ＤＲＸ休止タイマが０になる前に受信側デバイスがデータを何も受信しなかった場合、受信側デバイスは休止状態に入る。ＤＲＸ休止タイマが０になる前に受信側デバイスがデータを受信した場合、ＤＲＸ休止タイマは０に設定されて再び時間を計る。
【手続補正１４】
【補正対象書類名】明細書
【補正対象項目名】００９０
【補正方法】変更
【補正の内容】
【００９０】
図５及び図６で言及したシステムバスは、ペリフェラルコンポーネントインターコネクト（ＰＣＩ）バス、又は拡張業界標準アーキテクチャ（ＥＩＳＡ）バスなどであってよい。システムバスは、アドレスバス、データバス、及び制御バスなどに分類され得る。表現しやすくするために、バスは、図の中では１本の太線のみを用いて表されている。しかしながら、１本のバスのみ又は１種類のバスのみが存在することを意味するわけではない。通信インタフェースは、データベースアクセス装置と、別のデバイス（クライアント、読み出し／書き込み用データベース、又は読み出し専用データベースなど）との間の通信を実現するように構成される。メモリは、ランダムアクセスメモリ（ＲＡＭ）を含んでもよく、又は不揮発性メモリ（ｎｏｎ−ｖｏｌａｔｉｌｅ  ｍｅｍｏｒｙ）、例えば、少なくとも１つの磁気ディスクメモリであってもよい。
【手続補正１５】
【補正対象書類名】明細書
【補正対象項目名】００９１
【補正方法】変更
【補正の内容】
【００９１】
プロセッサは、中央演算処理装置（ＣＰＵ）又はネットワークプロセッサ（ＮＰ）などを含む汎用プロセッサであってもよく、又はデジタル信号プロセッサ（ＤＳＰ）、特定用途向け集積回路（ＡＳＩＣ）、フィールドプログラマブルゲートアレイ（ＦＰＧＡ）若しくは別のプログラム可能型論理デバイス、ディスクリートゲート若しくはトランジスタ論理デバイス、若しくはディスクリートハードウェアコンポーネントであってもよい。
【国際調査報告】
2020502889.tif 000010
2020502889.tif 000011
2020502889.tif 000012
2020502889.tif 000013